(57)【要約】【課題】利用者に対して利用者の映像を含む表現豊かなコンテンツを物という形で提供することを課題とする。【解決手段】カメラ１３は利用者を撮像し、マイク１４は利用者の音声を取得する。制御部２３は、取得した画像と音声からマルチメディアファイルを作成する。この際、判別部２６が利用者の携帯電話機の種別を判別し、種別に応じたデータ形式でファイルが作成される。作成されたファイルはメモリカード５０に記録される。マルチメディアファイルが記録されたメモリカード５０は搬送部１８により搬送されて、カード取出口１６へと供給される。利用者は、このメモリカード５０を、所持している携帯電話機に挿入することで、即座に自身の映像を含むマルチメディアファイルを視聴可能である。【選択図】図２
2007006313.tif 000002
【特許請求の範囲】
【請求項１】
アミューズメント施設に設置され利用者の動画像を撮像する装置であって、
前記装置の近傍に位置する前記利用者の動画像を撮像する撮像手段と、
前記撮像手段により撮像された動画像に画像処理を施す手段と、
画像処理が施された動画像を含むマルチメディアファイルをメモリカードに記録する手段と、
前記マルチメディアファイルの記録された前記メモリカードを前記装置が備えるカード取出口へと搬送する搬送手段と、
を備えることを特徴とする動画撮像装置。
【請求項２】
請求項１に記載の動画撮像装置において、さらに、
前記装置周辺の音声を入力する音声入力手段、
を備え、
前記マルチメディアファイルは、前記音声入力手段により入力された音声を含むことを特徴とする動画撮像装置。
【請求項３】
請求項１または請求項２に記載の動画撮像装置において、
前記メモリカードは、１回限りデータ書込み可能なＯＴＰメモリであることを特徴とする動画撮像装置。
【請求項４】
請求項１ないし請求項３のいずれかに記載の動画撮像装置において、さらに、
前記利用者の所持している携帯電話機の種別を判別する判別手段と、
判別された携帯電話機の種別に応じて、前記マルチメディアファイルのデータフォーマットを決定する手段と、
を備えることを特徴とする動画撮像装置。
【請求項５】
請求項４に記載の動画撮像装置において、さらに、
前記利用者に前記利用者が所持している携帯電話機の種別に関する情報を入力させる手段、
を備え、
前記判別手段は、前記利用者によって入力された情報に基づいて、携帯電話機の種別を判別することを特徴とする動画撮像装置。
【請求項６】
請求項４に記載の動画撮像装置において、
前記判別手段は、前記撮像手段により撮像された前記利用者の携帯電話機の画像を解析することにより、携帯電話機の種別を判別することを特徴とする動画撮像装置。
【請求項７】
請求項１ないし請求項６のいずれかに記載の動画撮像装置において、さらに、
前記撮像装置が撮像した画像を前記メモリカードのカード表面に印刷する手段、
を備えることを特徴とする動画撮像装置。
【請求項８】
請求項１ないし請求項６のいずれかに記載の動画撮像装置において、さらに、
前記撮像装置が撮像した画像を前記メモリカードのカード表面に添付するためのシール媒体に印刷する手段、
を備え、
前記搬送手段は、
動画像の記録された前記メモリカードとともに画像の印刷された前記シール媒体を前記カード取出口へと搬送することを特徴とする動画撮像装置。
【請求項９】
請求項１ないし請求項６のいずれかに記載の動画撮像装置において、さらに、
前記撮像装置が撮像した画像を前記メモリカードのカード表面に添付するためのシール媒体に印刷する手段と、
画像の印刷された前記シール媒体を前記メモリカードに貼付する手段と、
を備え、
前記搬送手段は、
前記シール媒体が貼付された前記メモリカードを前記カード取出口に搬送することを特徴とする動画撮像装置。
【請求項１０】
請求項８または請求項９に記載の動画撮像装置において、
前記メモリカードのカード表面には、前記シール媒体を貼付するためのガイド凹部が設けられていることを特徴とする動画撮像装置。
【請求項１１】
請求項１ないし請求項１０のいずれかに記載の動画撮像装置において、さらに、
前記マルチメディアファイルが記録された前記メモリカードの出力枚数を前記利用者に指定させる手段、
を備え、
前記装置は、指定された枚数だけ前記メモリカードを前記カード取出口に供給することを特徴とする動画撮像装置。
【請求項１２】
アミューズメント施設に設置され利用者の動画像を撮像する装置において、動画像を含むマルチメディアファイルをメモリカードに格納する方法であって、
前記装置の近傍に位置する前記利用者の動画像を撮像する工程と、
撮像された動画像に画像処理を施す工程と、
画像処理が施された動画像を含むマルチメディアファイルを前記メモリカードに記録する記録工程と、
マルチメディアファイルの記録された前記メモリカードを前記装置が備えるカード取出口へと搬送する搬送工程と、
を備え、
前記記録工程は、
前記マルチメディアファイルを前記メモリカードの所定のフォルダに格納する工程と、
複数の携帯電話キャリアにおいてマルチメディアファイルを格納する場合にそれぞれ規定されている独自フォルダを前記メモリカードに作成する工程と、
前記複数の携帯電話キャリアから供給される携帯電話機がマルチメディアファイルにアクセスする場合に参照する前記独自フォルダ内に、前記所定のフォルダに格納されている前記マルチメディアファイルへのリンクファイルを格納する工程と、
を備えることを特徴とするファイル格納方法。
【請求項１３】
アミューズメント施設に設置され利用者の動画像を撮像する装置において、動画像を含むマルチメディアファイルをメモリカードに格納する方法であって、
前記装置の近傍に位置する前記利用者の動画像を撮像する工程と、
撮像された動画像に画像処理を施す工程と、
画像処理が施された動画像を含むマルチメディアファイルを前記メモリカードに記録する記録工程と、
マルチメディアファイルの記録された前記メモリカードを前記装置が備えるカード取出口へと搬送する搬送工程と、
を備え、
前記記録工程は、
第１マルチメディアファイルは、第１の携帯電話キャリアにおいて採用されているファイル形式であり、第２マルチメディアファイルは、第２の携帯電話キャリアにおいて採用されているファイル形式であり、前記第１および第２マルチメディアファイルは、内容が共通する共通データ部を含んでおり、前記第１および第２マルチメディアファイルが、その共通データ部を共用するように前記メモリカードのＦＡＴに情報を記録した上で前記第１および第２マルチメディアファイルを前記メモリカードの所定のフォルダに格納する第１の工程と、
前記第１および第２の携帯電話キャリアにおいて、前記第１および第２マルチメディアファイルを格納する場合にそれぞれ規定されている独自フォルダを前記メモリカードに作成する第２の工程と、
前記第１の携帯電話キャリアから供給される携帯電話機が前記第１マルチメディアファイルにアクセスする場合に参照する前記独自フォルダ内に、前記所定のフォルダに格納されている前記第１マルチメディアファイルへのリンクファイルを格納するとともに、前記第２の携帯電話キャリアから供給される携帯電話機が前記第２マルチメディアファイルにアクセスする場合に参照する前記独自フォルダ内に、前記所定のフォルダに格納されている前記第２マルチメディアファイルへのリンクファイルを格納する第３の工程と、
を備えることを特徴とするファイル格納方法。
【請求項１４】
請求項１２または請求項１３に記載のファイル格納方法において、さらに、
前記装置周辺の音声を入力する音声入力工程、
を備え、
前記マルチメディアファイルは、前記音声入力工程により入力された音声を含むことを特徴とするファイル格納方法。
【発明の詳細な説明】
【技術分野】
【０００１】
本発明は、アミューズメント施設に設置される動画撮像装置に関する。
【背景技術】
【０００２】
遊園地、ゲームセンターなどのアミューズメント施設において、撮像した被写体の画像をシール媒体に印刷して出力する装置が人気である。利用者は、装置の前に立って、好みのテンプレートを選択した上で、ポーズをとって写真撮影を行う。これにより、撮影された画像がシール媒体に印刷されて出力されるのである。
【０００３】
また、近年、動画像データを再生可能な携帯電話機が急速に普及している。さらには、音楽コンテンツサービスの爆発的な人気からカードメディアスロットを備えた携帯電話機が今後主流になると予想されている。下記非特許文献１で紹介されているサービスは、携帯電話機用の動画像ファイルを生成し、生成した動画像ファイルを携帯電話機にメールで送信するシステムである。
【０００４】
【非特許文献１】ＮＴＴドコモ、“モーションクラブ”インターネットＵＲＬ＜http://www.docomo-dml.com/pc/atlantis/central/＞
【発明の開示】
【発明が解決しようとする課題】
【０００５】
上記のように、アミューズメント施設に設置される撮像装置は、その場で撮影した画像をシールという形態ですぐに手にすることができ、高い人気がある。しかし、撮像画像をシール媒体に印刷するというサービスの性質上、当然ながら提供するコンテンツもシール媒体に印刷可能なものに限定される。
【０００６】
また、上記非特許文献１で示したサービスは、データ、つまり、実体のない情報を提供するサービスであるため、上記のアミューズメント施設に設置される撮像装置のように、その場で物を手にすることができるという楽しみを利用者に与えることはできない。
【０００７】
そこで、本発明は前記問題点に鑑み、利用者がすぐに手にする喜びを味わうことができ、かつ、多様なコンテンツを提供可能なサービスを提供することを目的とする。
【課題を解決するための手段】
【０００８】
上記課題を解決するため、請求項１記載の発明は、アミューズメント施設に設置され利用者の動画像を撮像する装置であって、前記装置の近傍に位置する前記利用者の動画像を撮像する撮像手段と、前記撮像手段により撮像された動画像に画像処理を施す手段と、画像処理が施された動画像を含むマルチメディアファイルをメモリカードに記録する手段と、前記マルチメディアファイルの記録された前記メモリカードを前記装置が備えるカード取出口へと搬送する搬送手段と、を備えることを特徴とする。
【０００９】
請求項２記載の発明は、請求項１に記載の動画撮像装置において、さらに、前記装置周辺の音声を入力する音声入力手段、を備え、前記マルチメディアファイルは、前記音声入力手段により入力された音声を含むことを特徴とする。
【００１０】
請求項３記載の発明は、請求項１または請求項２に記載の動画撮像装置において、前記メモリカードは、１回限りデータ書込み可能なＯＴＰメモリであることを特徴とする。
【００１１】
請求項４記載の発明は、請求項１ないし請求項３のいずれかに記載の動画撮像装置において、さらに、前記利用者の所持している携帯電話機の種別を判別する判別手段と、判別された携帯電話機の種別に応じて、前記マルチメディアファイルのデータフォーマットを決定する手段と、を備えることを特徴とする。
【００１２】
請求項５記載の発明は、請求項４に記載の動画撮像装置において、さらに、前記利用者に前記利用者が所持している携帯電話機の種別に関する情報を入力させる手段、を備え、前記判別手段は、前記利用者によって入力された情報に基づいて、携帯電話機の種別を判別することを特徴とする。
【００１３】
請求項６記載の発明は、請求項４に記載の動画撮像装置において、前記判別手段は、前記撮像手段により撮像された前記利用者の携帯電話機の画像を解析することにより、携帯電話機の種別を判別することを特徴とする。
【００１４】
請求項７記載の発明は、請求項１ないし請求項６のいずれかに記載の動画撮像装置において、さらに、前記撮像装置が撮像した画像を前記メモリカードのカード表面に印刷する手段、を備えることを特徴とする。
【００１５】
請求項８記載の発明は、請求項１ないし請求項６のいずれかに記載の動画撮像装置において、さらに、前記撮像装置が撮像した画像を前記メモリカードのカード表面に添付するためのシール媒体に印刷する手段、を備え、前記搬送手段は、動画像の記録された前記メモリカードとともに画像の印刷された前記シール媒体を前記カード取出口へと搬送することを特徴とする。
【００１６】
請求項９記載の発明は、請求項１ないし請求項６のいずれかに記載の動画撮像装置において、さらに、前記撮像装置が撮像した画像を前記メモリカードのカード表面に添付するためのシール媒体に印刷する手段と、画像の印刷された前記シール媒体を前記メモリカードに貼付する手段と、を備え、前記搬送手段は、前記シール媒体が貼付された前記メモリカードを前記カード取出口に搬送することを特徴とする。
【００１７】
請求項１０記載の発明は、請求項８または請求項９に記載の動画撮像装置において、前記メモリカードのカード表面には、前記シール媒体を貼付するためのガイド凹部が設けられていることを特徴とする。
【００１８】
請求項１１記載の発明は、請求項１ないし請求項１０のいずれかに記載の動画撮像装置において、さらに、前記マルチメディアファイルが記録された前記メモリカードの出力枚数を前記利用者に指定させる手段、を備え、前記装置は、指定された枚数だけ前記メモリカードを前記カード取出口に供給することを特徴とする。
【００１９】
請求項１２記載の発明は、アミューズメント施設に設置され利用者の動画像を撮像する装置において、動画像を含むマルチメディアファイルをメモリカードに格納する方法であって、前記装置の近傍に位置する前記利用者の動画像を撮像する工程と、撮像された動画像に画像処理を施す工程と、画像処理が施された動画像を含むマルチメディアファイルを前記メモリカードに記録する記録工程と、マルチメディアファイルの記録された前記メモリカードを前記装置が備えるカード取出口へと搬送する搬送工程と、を備え、前記記録工程は、前記マルチメディアファイルを前記メモリカードの所定のフォルダに格納する工程と、複数の携帯電話キャリアにおいてマルチメディアファイルを格納する場合にそれぞれ規定されている独自フォルダを前記メモリカードに作成する工程と、前記複数の携帯電話キャリアから供給される携帯電話機がマルチメディアファイルにアクセスする場合に参照する前記独自フォルダ内に、前記所定のフォルダに格納されている前記マルチメディアファイルへのリンクファイルを格納する工程と、を備えることを特徴とする。
【００２０】
請求項１３記載の発明は、アミューズメント施設に設置され利用者の動画像を撮像する装置において、動画像を含むマルチメディアファイルをメモリカードに格納する方法であって、前記装置の近傍に位置する前記利用者の動画像を撮像する工程と、撮像された動画像に画像処理を施す工程と、画像処理が施された動画像を含むマルチメディアファイルを前記メモリカードに記録する記録工程と、マルチメディアファイルの記録された前記メモリカードを前記装置が備えるカード取出口へと搬送する搬送工程と、を備え、前記記録工程は、第１マルチメディアファイルは、第１の携帯電話キャリアにおいて採用されているファイル形式であり、第２マルチメディアファイルは、第２の携帯電話キャリアにおいて採用されているファイル形式であり、前記第１および第２マルチメディアファイルは、内容が共通する共通データ部を含んでおり、前記第１および第２マルチメディアファイルが、その共通データ部を共用するように前記メモリカードのＦＡＴに情報を記録した上で前記第１および第２マルチメディアファイルを前記メモリカードの所定のフォルダに格納する第１の工程と、前記第１および第２の携帯電話キャリアにおいて、前記第１および第２マルチメディアファイルを格納する場合にそれぞれ規定されている独自フォルダを前記メモリカードに作成する第２の工程と、前記第１の携帯電話キャリアから供給される携帯電話機が前記第１マルチメディアファイルにアクセスする場合に参照する前記独自フォルダ内に、前記所定のフォルダに格納されている前記第１マルチメディアファイルへのリンクファイルを格納するとともに、前記第２の携帯電話キャリアから供給される携帯電話機が前記第２マルチメディアファイルにアクセスする場合に参照する前記独自フォルダ内に、前記所定のフォルダに格納されている前記第２マルチメディアファイルへのリンクファイルを格納する第３の工程と、を備えることを特徴とする。
【００２１】
請求項１４記載の発明は、請求項１２または請求項１３に記載のファイル格納方法において、さらに、前記装置周辺の音声を入力する音声入力工程、を備え、前記マルチメディアファイルは、前記音声入力工程により入力された音声を含むことを特徴とする。
【発明の効果】
【００２２】
本発明の装置は、利用者を撮像した動画像を含むマルチメディアファイルをメモリカードに格納し、このメモリカードをその場で供給する。これにより、利用者は、自身の映像を含むマルチメディアファイルをメモリカードという物の形で、その場で手にすることが可能である。
【００２３】
また、携帯電話機の種別を判別し、その種別に応じたデータ形式でマルチメディアファイルを格納するので、利用者は、所持する携帯電話機を用いて即座に簡単にマルチメディアファイルを視聴することが可能である。
【００２４】
また、カード表面やシール媒体に画像を印刷する機能を備えることにより、さらに、マルチメディアファイルの格納されたメモリカードに付加価値を与えることが可能である。
【発明を実施するための最良の形態】
【００２５】
｛第１の実施の形態｝
以下、図面を参照しつつ本発明の実施の形態について説明する。図１は、本発明の実施の形態に係る動画撮像装置１０の概観図である。この動画撮像装置１０は、ゲームセンター、遊園地などのアミューズメント施設に設置される。
【００２６】
動画撮像装置１０の装置前面には、操作部１１およびモニタ１２が設けられている。操作部１１は、利用者が各種の情報を入力するためのものであり、複数のボタンとタッチパネルから構成される。つまり、モニタ１２は、タッチパネル式ディスプレイとして構成されており、画像表示を行うとともに、操作入力を可能としている。
【００２７】
モニタ１２の上部には、カメラ１３、マイク１４、スピーカ１５が設けられている。カメラ１３は、動画撮像装置１０の前部近傍に位置している利用者の画像を撮影可能としており、マイク１４は、その利用者の音声を取得可能としている。スピーカ１５は、動画撮像装置１０の利用方法、操作方法などを説明する音声ガイダンスを再生する。また、スピーカ１５は、利用者の音声とともに合成されたＢＧＭなどの音声を再生する。
【００２８】
装置下部には、マルチメディアファイルが記録されたメモリカードが供給されるカード取出口１６と、利用者がお金、コイン等を挿入するコイン投入部１７が設けられている。コイン投入部１７は、金額の計算機能を備えており、この計算結果が図２に示す制御部２３に通知される。制御部２３は、この装置を利用する料金が投入されたことをカウントすると、音声ガイダンスの再生を開始する。
【００２９】
図２は、動画撮像装置１０の機能ブロック図である。動画撮像装置１０は、カメラ１３から入力した画像信号に色調補正、画素補間、ノイズ除去、シャープネスなどの各種画像処理を施す画像処理部２１を備えている。また、画像処理部２１は、カメラ１３から入力した動画像やテンプレートデータ記憶部２５に格納されているテンプレート画像をモニタ１２に出力する機能を備えている。また、動画撮像装置１０は、マイク１４から入力した音声信号にノイズ除去、音量調整などの音声処理を施す音声処理部２２を備えている。また、音声処理部２２は、上述した音声ガイダンスや合成音声をスピーカ１５に出力する機能を備えている。
【００３０】
制御部２３は、ＣＰＵやメモリなどから構成され、動画撮像装置１０の全体制御を行う。図３は、制御部２３が備える機能のうち、マルチメディアファイルの生成処理に関わる機能部を示したものである。画像加工部２３１は、画像処理部２１から入力した動画像にテンプレート画像を合成する処理や、動画像に特殊な効果を与える処理を実行する。テンプレート画像は、利用者を撮影した動画像に様々な効果を与えるために合成する画像データである。たとえば、被写体の周りに装飾する模様や図柄の画像データ、特定のテーマに基づいて作成された背景画像データ、人気アニメのキャラクター画像データなどである。また、テンプレート画像には、動画（アニメーション）も含まれる。テンプレートデータ記憶部２５には、複数の種類のテンプレート画像が記憶されており、利用者が操作部１１を操作することにより、いずれかのテンプレート画像が選択され、画像加工部２３１において合成処理が行われるのである。また、利用者によって、特殊効果が選択された場合には、その指示に応じて画像加工部２３１は画像の加工処理を行う。
【００３１】
なお、テンプレート画像を合成するためにクロマキー処理が有効である。たとえば、利用者の立つ位置の後ろに青色のシートを設けるようにすれば、クロマキー処理を行う上で都合がよい。
【００３２】
音声加工部２３２は、音声処理部２２から入力した音声にＢＧＭや効果音等のサウンドデータを合成する処理や、音声にディレイ、エコーなどの各種エフェクト処理を施す機能を備えている。テンプレートデータ記憶部２５には、複数の種類のサウンドデータが記憶されており、利用者によっていずれかのサウンドデータが選択されると、音声加工部２３２において、音声の合成処理が行われる。また、各種エフェクト処理が利用者によって選択されることにより、その指示に応じて音声加工部２３２が音声の加工処理を行う。また、音声加工部２３２は、選択されたテンプレート画像に応じた音声エフェクトを実行するようにしてもよい。たとえば、ホラーをテーマにしたテンプレート画像が選択された場合には、音声に対して不気味さを演出するようにディレイを強く施したり、音を鈍らせるような音声処理を実行したりすることで、より演出効果を奏することができる。あるいは、テンプレート画像とテンプレート音声のセットを用意するようにしてもよい。利用者があるテーマを選択すれば、そのテーマに沿ったテンプレート画像とテンプレート音声が選択されるので、利用者は、様々な演出効果を楽しむことが可能である。
【００３３】
画像加工部２３１および音声加工部２３２から出力された画像および音声のデータは、圧縮伸張処理部２３３において圧縮処理が施される。さらに、制御部２３は、圧縮した画像および音声のデータからマルチメディアファイルを作成する。ここで、マルチメディアファイルとは、動画像データと音声データを含むファイルである。
【００３４】
マルチメディアファイルの形式は特に限定されるものではないが、本発明は、携帯電話機で再生されることを主な利用方法として想定しているので、携帯電話機で採用されているファイル形式を用いることが望ましい。たとえば、ＮＴＴドコモ社製の携帯電話機であればi-motion ASFといったフォーマット形式のファイルであり、ＫＤＤＩ社であればファイル形式はＡＭＣであり、ボーダフォン社であればNancyといったファイル形式のマルチメディアファイルが存在する。また、３Ｇ携帯電話機の標準である３ＧＰＰあるいは３ＧＰＰ２に準拠したファイル形式であってもよい。
【００３５】
また、動画撮像装置１０は、判別部２６および携帯電話データ記憶部２７を備えている。判別部２６は、動画撮像装置１０の利用者が所持する携帯電話機のキャリア種別あるいは機種を判別する機能部である。制御部２３は、利用者に対して携帯電話機のキャリア種別あるいは機種を入力させるため、その入力画面をモニタ１２に出力する。そして、利用者がキャリア種別あるいは機種を入力すると、その情報が判別部２６に与えられる。判別部２６は、その入力情報に基づいて、携帯電話機のキャリア種別あるいは機種を特定し、そのキャリア種別、機種に対応するデータを携帯電話データ記憶部２７から得る。このデータには、キャリアによって異なるマルチメディアファイルのフォーマット形式を指定する情報が含まれている。
【００３６】
判別部２６は、キャリア種別、機種に対応するデータを得ると、このデータを制御部２３に与える。これにより、制御部２３は、利用者の所有する携帯電話機のキャリア種別、あるいは機種に応じた処理を実行する。具体的には、制御部２３は、圧縮伸張処理部２３３において、画像および音声のデータを圧縮する際に、キャリア種別あるいは機種に対応したフォーマット形式でこれらデータを圧縮する。そして、制御部２３は、キャリア種別あるいは機種に対応したファイルフォーマットでマルチメディアファイルを作成するのである。
【００３７】
制御部２３は、マルチメディアファイルを作成すると、メモリＩ／Ｆ２４を介して、マルチメディアファイルをメモリカード５０に記録する。本実施の形態においては、メモリカード５０として、ＯＴＰ（One-time programmable）メモリを用いている。ＯＴＰメモリは、１回に限りデータを書込み可能なメモリである。ＯＴＰメモリは、一般のフラッシュメモリなどのＭＴＰ（Multi-time programmable）メモリと比較して、書き換え回数を１回に制限することによって、書き換え回数を複数回保証するための信頼性確保のために掛かるコストを低く抑えることができるため、一般には安価に製造、供給することが可能なのである。本発明は、このように、安価なＯＴＰメモリを利用することで、利用者にマルチメディアファイルの格納されたメモリカード５０を安価で提供可能としている。ただし、コスト面の問題がクリアできれば、もちろん、一般のフラッシュメモリなどを利用してもよい。
【００３８】
メモリカード５０は、図２に示すように、予めカード格納庫１９に複数枚格納されている。そして、制御部２３からの指示に応じて、搬送部１８がカード格納庫１９に格納されているメモリカード５０を取り出し、ファイル記録位置まで移動させる。そして、メモリカード５０がファイル記録位置に移動した状態で、制御部２３は、メモリＩ／Ｆ２４を介してマルチメディアファイルを記録するのである。マルチメディアファイルが記録されたメモリカード５０は、さらに、搬送部１８によって搬送され、カード取出口１６へと供給されるのである。
【００３９】
このようにして、利用者は、カード取出口１６に供給されたメモリカード５０を取得することが可能である。メモリカード５０のタイプは、特に限定されるものではないが、本発明は上述の如く、マルチメディアファイルを携帯電話機においてすぐに再生できることを主な目的としている。したがって、この実施の形態において、メモリカード５０は、携帯電話機のメモリカードスロットに装着可能なタイプ、たとえば、miniＳＤカード等が利用されている。したがって、利用者は、カード取出口１６から取り出したメモリカード５０を携帯電話機に装着することによって、自分自身の動画像や音声を含むマルチメディアファイルを即座に携帯電話機を用いて視聴することができるのである。ここで、上述したように、判別部２６において携帯電話機のキャリア種別あるいは機種が特定され、それに応じたファイルフォーマットでマルチメディアファイルがメモリカード５０に記録されているので、キャリア間でマルチメディアファイルのフォーマットが異なるという事情があった場合でも、利用者の所有している携帯電話機においてこのマルチメディアファイルは再生可能となっている。
【００４０】
このように、本実施の形態によれば、利用者は、アミューズメント施設において、簡単な操作で自身が被写体となった動画像を撮像することができる。また、利用者が発生した音声も同時に録音することが可能である。そして、その動画像および音声が含まれたマルチメディアファイルが格納されたメモリカード５０をその場で手にすることができる。したがって、ネットワークを経由してデータをダウンロードするようなシステム形態とは異なる楽しみを得ることが可能である。つまり、利用者は、マルチメディアファイルという目には見えないデータを得るだけではなく、物としてのメモリカードを手にすることで、物をコレクトするという喜びを味わうこともできるのである。
【００４１】
この動画撮像装置１０、たとえば、友人とともにカメラ１３の前でとった動きのある映像と、友人とともに発生した音声が含まれるマルチメディアファイルを利用者に提供する。さらには、テンプレートで選択した合成映像を重ねたり、様々な画像処理を加えたりすることが可能であり、表現豊かな動画像を利用者に提供可能である。また、発生した音声には、テンプレートで選択したＢＧＭや効果音を重ねることができるので、さらに、表現豊かなコンテンツを提供可能である。
【００４２】
｛第２の実施の形態｝
次に、本発明の第２の実施の形態について説明する。第２の実施の形態と第１の実施の形態とでは、携帯電話機のキャリア種別あるいは機種を判別する方法が異なる。その他の構成は第１の実施の形態と同様であるので、判別処理の内容のみ説明する。
【００４３】
制御部２３は、まず、利用者が所持する携帯電話機をカメラ１３の前に、あるいはカメラ１３の近くに位置させるよう促すメッセージをモニタ１２に表示する。利用者がこのメッセージに従い、所持している携帯電話機をカメラ１３の前に差し出すと、カメラ１３により携帯電話機の画像が撮像される。
【００４４】
撮像された携帯電話機の画像は、制御部２３において画像解析処理が行われ、その特徴情報が抽出される。たとえば、携帯電話機の全体形状、ボタンの配置、ボタンの形状、モニタの配置、形状などの特徴を示す情報が抽出される。一方、携帯電話データ記憶部２７には、第１の実施の形態で説明したように、各キャリアや機種に対応したマルチメディアファイルのフォーマット等の情報が記録されているが、これに加えて、本実施の形態においては、機種ごとの携帯電話機の特徴情報が格納されている。
【００４５】
そして、判別部２６は、制御部２３において抽出された利用者の携帯電話機の特徴情報と、携帯電話データ記憶部２７に格納されている特徴情報とを比較し、利用者が所持している携帯電話機のキャリア種別あるいは機種を特定する。判別部２６は、キャリア種別あるいは機種を特定すると、第１の実施の形態と同様に、携帯電話データ記憶部２７からキャリア種別あるいは機種に応じた情報を取得し、この情報を制御部２３に与えるのである。制御部２３は、判別部２６より得た情報に基づいてキャリアあるいは機種に応じた処理を実行する。たとえば、キャリア種別に応じたファイルフォーマットでマルチメディアファイルを作成するのである。
【００４６】
本実施の形態においては、利用者の携帯電話機のキャリア種別あるいは機種を画像解析により特定するので、利用者に機種などを入力させる必要はない。したがって、利用者に煩雑な操作を要求する必要がなく、簡単な操作で携帯電話機に対応したマルチメディアファイルを提供することが可能である。
【００４７】
｛第３の実施の形態｝
次に、本発明の第３の実施の形態について説明する。第３の実施の形態は、被写体である利用者の動きに応じた処理を実行する点が、第１の実施の形態と異なる。その他の構成は第１の実施の形態と同様であるので、異なる内容のみ説明する。
【００４８】
図４は、第３の実施の形態における制御部２３の機能ブロックを示す図である。制御部２３は、モーション検知部２３４を備えている。モーション検知部２３４は、画像処理部２１から出力された画像信号を入力し、撮像した画像中の被写体の動きを検知する機能部である。モーション検知部２３４が、被写体の動きを検知すると、この情報が画像加工部２３１に与えられる。
【００４９】
画像加工部２３１は、動き情報を得ると、この情報に従い、様々な特殊処理を実行する。たとえば、抽出された被写体オブジェクトがテンプレートで選択されているオブジェクトに接触する場合、つまり、被写体の画像部分とテンプレートで選択されているオブジェクトの座標が重なる場合、そのオブジェクトをアニメーションさせるのである。あるいは、所定の映像エフェクトや効果音を与えるようにしてもよい。これにより、利用者とテンプレート画像とが相互に連動した映像を作成することが可能である。たとえば、テンプレート画像がアニメキャラクターのオブジェクトを含んでいれば、利用者とアニメキャラクターが対話しているような映像を得ることが可能である。
【００５０】
また、抽出された被写体オブジェクトの向きを判断し、その被写体が特定の方向を向いている場合、オブジェクトをアニメーションさせるようにしてもよい。また、被写体が特定の方向を向いている場合には、所定の映像エフェクトを施すようにしてもよいし、効果音を与えるようにしてもよい。また、抽出された被写体オブジェクトが特定の動きをしている場合、オブジェクトをアニメーションさせるようにしてもよい。また、所定の映像エフェクトを施してもよいし、効果音を与えるようにしてもよい。
【００５１】
このように、本実施の形態によれば、利用者の動きに連動してテンプレート画像や音声を操作するので、より楽しいマルチメディアファイルを提供することが可能である。
【００５２】
｛第４の実施の形態｝
次に、本発明の第４の実施の形態について説明する。第４の実施の形態は、マルチメディアファイルの記録されたメモリカード５０に画像を印刷する点が、第１の実施の形態と異なる。その他の構成は第１の実施の形態と同様であるので、異なる内容のみ説明する。
【００５３】
図５に示すように、動画撮像装置１０は、印刷部２８Ａを備えている。印刷部２８Ａは、マルチメディアファイルが記録されたメモリカード５０のカード表面に画像を印刷する機能部である。制御部２３は、第１の実施の形態と同様の処理を実行し、メモリカード５０にマルチメディアファイルを記録すると、次に、印刷部２８Ａに対して画像の印刷指示情報を送る。この印刷指示情報には、印刷対象となる画像データが含まれる。
【００５４】
印刷対象となる画像データは、たとえば、マルチメディアファイルに含まれる動画像の一部のフレームが選択される。この画像は利用者により選択可能にすればよい。たとえば、撮影した動画像をモニタ１２に出力し、利用者が好きなフレームを指定できるようなユーザインタフェースを提供すればよい。あるいは、動画像の撮影が終了した後、カードに印刷する画像を新たに撮影するようにしてもよい。この場合には、利用者は、カードに印刷したい画像を想定して、好みのポーズをとって撮影を行う。
【００５５】
マルチメディアファイルが記録されたメモリカード５０は、さらに搬送部１８により搬送されて、印刷位置に達する。ここで、制御部２３からの印刷指示に従い、印刷部２８Ａがメモリカード５０のカード表面に画像を印刷するのである。なお、メモリカード５０のカード表面は、画像を印刷可能な素材で構成されている。印刷が終了すると、メモリカード５０は再び搬送部１８により搬送されて、カード取出口１６に供給されるのである。
【００５６】
このように、第４の実施の形態によれば、利用者が手にするマルチメディアファイルが記録されたメモリカード５０には画像が印刷されるので、より利用者に楽しみを与えることができる。また、利用者は、メモリカード５０を見れば、どのような映像が記録されているカードかをすぐに認識することが可能であり、利便性がよい。
【００５７】
｛第５の実施の形態｝
次に、本発明の第５の実施の形態について説明する。第５の実施の形態は、マルチメディアファイルが記録されたメモリカード５０とともに、画像が印刷されたシールを提供する点が、第１の実施の形態と異なる。その他の構成は第１の実施の形態と同様であるので、異なる内容のみ説明する。
【００５８】
図６に示すように、動画撮像装置１０は、印刷部２８Ｂを備えている。印刷部２８Ｂは、シール媒体５１に画像を印刷する機能部である。このシール媒体５１は、メモリカード５０のカード表面に貼付するのに適した形状や大きさで作成されている。制御部２３は、第１の実施の形態と同様の処理を実行し、メモリカード５０にマルチメディアファイルを記録すると、次に、印刷部２８Ｂに対して画像の印刷指示情報を送る。この印刷指示情報には、印刷対象となる画像データが含まれる。
【００５９】
印刷対象となる画像データは、第４の実施の形態と同様である。たとえば、マルチメディアファイルに含まれる動画像の一部のフレームが選択されてもよいし、シール媒体に印刷する新たな画像が撮影されてもよい。
【００６０】
メモリカード５０にマルチメディアファイルが記録される処理に平行して、あるいは前後して、制御部２３からの印刷指示に従い、印刷部２８Ｂがシール媒体５１に画像を印刷する。シール媒体５１は、シール格納庫２０が順に搬送されて印刷部２８Ｂによる印刷位置に供給される。印刷が終了すると、メモリカード５０とともにシール媒体５１は搬送部１８により搬送されて、カード取出口１６に供給されるのである。
【００６１】
このように、第５の実施の形態によれば、利用者が手にするマルチメディアファイルが記録されたメモリカード５０とともに、画像が印刷されたシール媒体が供給される。利用者は、そのシール媒体５１をメモリカード５０のカード表面に貼付することで、メモリカード５０に付加価値を与えるラベルとして利用することが可能である。また、利用者は、メモリカード５０を見れば、どのような映像が記録されているカードかをすぐに認識することが可能であり、利便性がよい。
【００６２】
また、図８に示すように、メモリカード５０のカード表面に、シール媒体５１を貼付するガイド凹部５０ａを設けるようにすれば、さらに利便性がよい。シール媒体５１の大きさ、形状と、ガイド凹部５０ａの大きさ、形状を合わせるようにしておけば、利用者は、簡単にきれにシール媒体５１を貼付することが可能である。
【００６３】
｛第６の実施の形態｝
次に、本発明の第６の実施の形態について説明する。第６の実施の形態は、画像が印刷されたシール媒体をメモリカード５０に自動貼付する点が、第５の実施の形態と異なる。その他の構成は第５の実施の形態と同様であるので、異なる内容のみ説明する。
【００６４】
図７は、第６の実施の形態の動画撮像装置１０のブロック図である。制御部２３からの指示に従い、印刷部２８Ｂがシール媒体５１に画像を印刷すると、このシール媒体５１は、貼付部２９に供給される。一方、マルチメディアファイルが記録されたメモリカード５０は、搬送部１８により搬送されて、貼付位置に供給される。そして、制御部２３からの指示に従い、貼付部２９が、画像の印刷されたシール媒体５１をメモリカード５０のカード表面に貼付するのである。このとき、図８で示したように、メモリカード５０にガイド凹部５０ａが形成されていると、貼付処理が確実に行われ、都合がよい。
【００６５】
シール媒体５１の貼付されたメモリカード５０は、さらに搬送部１８により搬送されて、カード取出口１６に供給されるのである。このように、第６の実施の形態によれば、利用者は、シール媒体５１をメモリカード５０に貼付する作業を行う必要はない。
【００６６】
｛第７の実施の形態｝
次に、第７の実施の形態について説明する。上記各実施の形態においてマルチメディアファイルが記録されたメモリカード５０は、各携帯電話キャリアから供給される携帯電話機のメモリカードスロットに装着されて利用される。ここで、もし、各携帯電話キャリアで採用しているマルチメディアファイルのフォーマットが同じであれば、ファイルフォーマットを特定するという意味においては、第１の実施の形態等で説明したように、判別部２６により、携帯電話のキャリア種別等を判別する必要はない。しかし、携帯電話キャリアは、それぞれマルチメディアファイルを格納する独自のディレクトリ構成を持っている場合がある。このような場合、動画撮像装置１０がマルチメディアファイルを単にメモリカード５０に格納しただけでは、利用者は、所持している携帯電話機にメモリカード５０を挿入しても、マルチメディアファイルにアクセスできないという問題が生じる。この実施の形態では、そのような問題を解決する。つまり、各キャリア間でファイルフォーマットは共通するが、独自フォルダを採用している場合の問題点を解決する。したがって、第７の実施の形態と第１の実施の形態とでは、制御部２３によるメモリカード５０への書込み処理の内容が異なる。また、第７の実施の形態においては、ファイルフォーマットを特定するという意味においては判別部２６を備えている必要はない。その他の構成は、第１の実施の形態と同様であるので、異なる点のみ説明する。
【００６７】
図９は、制御部２３により、メモリカード５０に書き込まれるフォルダの構造とファイルの種別を示す図である。なお、ここでは、マルチメディアファイルのみならず、音声ファイルや静止画像ファイルの書込み方法についても合わせて説明する。制御部２３は、メモリカード５０に対して次のような処理を行う。
（Ｐ１）  オリジナルファイルを格納するフォルダの作成。
（Ｐ２）  （Ｐ１）で作成したフォルダに対するオリジナルファイルの記録。
（Ｐ３）  キャリアごとの独自フォルダの作成。
（Ｐ４）  独自フォルダに対するエイリアスファイルの記録。
【００６８】
まず、（Ｐ１）、（Ｐ２）の処理について説明する。制御部２３、まず、マルチメディアファイルの実体であるオリジナルファイルを書き込むためのフォルダを作成し、そのフォルダ内にオリジナルファイルを記録する。たとえば、図２で示した例であれば、オリジナルファイルの格納フォルダとして、「root」フォルダの下に、「Movie」、「Sound」、「Image」という３つのフォルダを作成する。
【００６９】
そして、「Movie」フォルダには、オリジナルファイル１０１が記録される。オリジナルファイル１０１は、動画と音声からなるマルチメディアファイルの実体である。「Sound」フォルダには、オリジナルファイル１０２が記録される。オリジナルファイル１０２は、音声ファイルの実体である。「Image」フォルダには、オリジナルファイル１０３が記録される。オリジナルファイル１０３は、画像ファイルの実体である。このように、（Ｐ１）、（Ｐ２）の処理では、実体ファイルを記録するフォルダの作成と、そのフォルダに対する実体ファイルの記録が行われる。このフォルダは、携帯電話キャリアで規定されている独自フォルダとは異なるので、一般には、各携帯電話キャリアから供給される携帯電話機を用いて、（Ｐ１）、（Ｐ２）の処理で記録されるファイルをダイレクトに参照することはできない。
【００７０】
次に、（Ｐ３）、（Ｐ４）の処理について説明する。制御部２３は、各携帯電話キャリアで規定されている独自フォルダを作成する。この独自フォルダとは、各携帯電話キャリアの携帯電話機を用いて各種のデータファイルを保存した場合に、それらデータファイルがデフォルトで格納されるフォルダである。図９で示した例であれば、キャリアＡの独自フォルダとして、まず、「root」フォルダの下に「Career＿A」というフォルダが作成され、この「Career＿A」フォルダの下に、「Mov＿data」、「Sound＿data」、「Img＿data」という３つのフォルダが作成されている。フォルダ「Mov＿data」、「Sound＿data」、「Img＿data」は、それぞれ、キャリアＡの携帯電話機において、マルチメディアファイル、音声ファイル、画像ファイルを格納するデフォルトのフォルダである。同様に、「root」フォルダの下に「Career＿B」というフォルダが作成され、この「Career＿B」フォルダの下に、「Mov」、「Music」、「Img」という３つのフォルダが作成されている。フォルダ「Mov」、「Music」、「Img」は、それぞれ、キャリアＢの携帯電話機において、マルチメディアファイル、音声ファイル、画像ファイルを格納するデフォルトのフォルダである。
【００７１】
そして、制御部２３は、フォルダ「Mov＿data」に対して、オリジナルファイル１０１へのリンク情報を持ったエイリアスファイル１０１Ａを記録し、フォルダ「Sound＿data」に対して、オリジナルファイル１０２へのリンク情報を持ったエイリアスファイル１０２Ａを記録し、フォルダ「Img＿data」に対して、オリジナルファイル１０３へのリンク情報を持ったエイリアスファイル１０３Ａを記録する。エイリアスファイル１０１Ａ、１０２Ａ、１０３Ａは、オリジナルファイルへのリンク情報だけをもち、実データ部分を持たないファイルであるので、非常にデータサイズの小さいファイルである。利用者により、これらエイリアスファイルへのアクセスが行われると、システムの機能によりオリジナルファイルへのアクセスが行われるのである。このエイリアスファイルは、Windows（登録商標）であればショートカットファイル、UNIX（登録商標）であればシンボリックリンクファイルなどと同様の機能を持ったファイルである。
【００７２】
同様に、制御部２３は、フォルダ「Mov」に対して、オリジナルファイル１０１へのリンク情報を持ったエイリアスファイル１０１Ｂを記録し、フォルダ「Music」に対して、オリジナルファイル１０２へのリンク情報を持ったエイリアスファイル１０２Ｂを記録し、フォルダ「Img」に対して、オリジナルファイル１０３へのリンク情報を持ったエイリアスファイル１０３Ｂを記録する。
【００７３】
制御部２３により、以上の書込み処理が行われることにより、たとえば、このメモリカード５０がキャリアＡの携帯電話機に装着された場合に、利用者は通常の操作を行うことでオリジナルファイル１０１、１０２、１０３にアクセスすることが可能である。具体的には、利用者がキャリアＡの携帯電話機を用いて、ファイルを参照する操作を行うと、デフォルトで規定されているフォルダ内のファイルが表示されることとなるが、そのフォルダには、エイリアスファイル１０１Ａ、１０２Ａ、１０３Ａが表示されるのである。そして、利用者は、通常のファイル操作と同様、これらエイリアスファイルを指定した操作を行うことにより、オリジナルファイル１０１〜１０３へのアクセスが行われるのである。同様に、キャリアＢ、キャリアＣの携帯電話機を用いた場合にも、利用者は、通常のファイルアクセス操作を行うことにより、エイリアスファイルを介してオリジナルファイル１０１〜１０３にアクセスすることが可能である。
【００７４】
このように、本実施の形態によれば、制御部２３によって、各携帯電話キャリアに対応したフォルダ構造が書き込まれ、このフォルダ内に、オリジナルファイルへのエイリアスファイルが記録されるので、いずれのキャリアの携帯電話機を用いた場合にも、通常と変わらない操作で、各種ファイルにアクセス可能である。したがって、動画撮像装置１０の利用者は、カード取出口１６から取り出したメモリカード５０を用いて、すぐにマルチメディアファイルを視聴することが可能である。
【００７５】
また、本実施の形態は、各キャリアの独自フォルダに、それぞれオリジナルファイルを記録する方法とは異なり、共通する１つのオリジナルファイルを記録するだけである。また、独自フォルダに格納されるエイリアスファイルは、リンク情報のみを持つファイルであるので、非常に容量の小さいファイルである。したがって、複数のキャリアの携帯電話機で容易にアクセス可能としながら、かつ、メモリカード５０に格納するファイルのデータ容量が大きくならないよう配慮されている。
【００７６】
｛第８の実施の形態｝
次に、本発明の第８の実施の形態について説明する。第７の実施の形態では、各携帯電話キャリアが、同じフォーマット形式のファイルを採用していることが前提である。これに対して、キャリアによって採用しているファイルのフォーマット形式が異なる場合があるが、第８の実施の形態では、このような場合に対応する。つまり、各キャリア間でファイルフォーマットが異なり、かつ、格納するフォルダとして独自フォルダを採用している場合の問題点を解決する。したがって、第８の実施の形態と第７の実施の形態とでは、制御部２３によるメモリカード５０への書込み処理の内容が異なる。
【００７７】
たとえば、図１０に示すように、キャリアＡで採用されているマルチメディアファイル２００Ａは、音声データのフォーマットがＸ１形式であり、動画データのフォーマットがＹ１形式であるとする。そして、ファイルの先頭には、キャリアＡ形式のヘッダデータが記録される。一方、キャリアＢで採用されているマルチメディアファイル２００Ｂは、音声データのフォーマット形式がＸ２形式であり、動画データはＹ１形式である。そして、ファイルの先頭には、キャリアＢ形式のヘッダデータが記録される。なお、ヘッダデータは、より確実にファイル形式を識別するために付加する情報である。例えば、動画・音声の圧縮に関する情報、ストリーム数、シーケンス幅・高さ、音声映像の同期情報、サンプリングレートなどの情報が含まれる。
【００７８】
このように、図１０で示したマルチメディアファイル２００Ａと２００Ｂに関して、動画データのフォーマットは共通の形式であるが、音声データの形式が異なる。そして、マルチメディアファイルのファイル形式が異なる場合には、両方のキャリアに対応させるためには、異なる２つのファイルを作成し、これらのファイルをメモリカード５０に格納させる必要性が生じる。しかし、この方法をとった場合、各キャリアに対応した複数のファイルを格納しなければならないため、メモリカード５０の容量を多く使用するという問題がある。
【００７９】
そこで、制御部２３は、図１０で示すマルチメディアファイル２００Ａおよび２００Ｂを、マルチメディアファイル２１０Ａ、２１０Ｂとして、図１１に示すようなファイル形式でメモリカード５０に格納する。図１１に示すように、制御部２３は、ＦＡＴ（File Allocation Tables）ファイルシステムに基づいてマルチメディアファイル２１０Ａ、２１０Ｂを格納するが、通常のＦＡＴファイルシステムでは、これまで用いられていない方法で、これら２つのファイル２１０Ａ、２１０Ｂを記録する。
【００８０】
まず、ＦＡＴ領域には、クラスタのチェーン情報が記録されている。図中、ＦＡＴ領域の１行目は、クラスタ番号０〜２９における次のクラスタ位置情報、２行目は、クラスタ番号３０〜５９における次のクラスタ情報、３行目は、クラスタ番号６０〜８９における次のクラスタ情報・・というように各クラスタ番号におけるチェーン情報が記録されている。ただし、データ領域はクラスタ番号２から開始される。たとえば、クラスタ番号３（１行目の左端から４番目のボックス）のＦＡＴには、クラスタ番号４にチェーンされることが記録されており、クラスタ番号４（１行目の左端から５番目のボックス）のＦＡＴには、クラスタ番号５にチェーンされることが記録されているので、クラスタ番号３→４→５→・・・という順でデータが格納されていることを示している。
【００８１】
そして、ルートディレクトリ領域には、「Movie」、「Career＿A」、「Career＿B」フォルダの属性情報が記録される。属性情報とは、ファイル／フォルダ名、タイムスタンプ、サイズ、ファイルかフォルダを区別するフラグ情報、最初のクラスタ位置等であり、図１１では、フォルダ名と最初のクラスタ位置のみを図示している。つまり、「Movie」フォルダは、クラスタ番号２から開始し、「Career＿A」フォルダは、クラスタ番号２００から開始し、「Career＿B」フォルダは、クラスタ番号４００から開始するという情報が記録されている。
【００８２】
クラスタ番号２は、「Movie」フォルダとしてのディレクトリ領域であり、マルチメディアファイル２１０Ａ、マルチメディアファイル２１０Ｂの属性情報が記録されている。つまり、マルチメディアファイル２１０Ａは、クラスタ番号３から開始し、マルチメディアファイル２１０Ｂは、クラスタ番号６０から開始されるという情報が記録されている。そして、ＦＡＴ領域で、この開始クラスタ番号を参照すれば、その後のチェーン情報を得ることが可能である。つまり、マルチメディアファイル２１０Ａを構成するデータは、クラスタ番号３から開始し、順にクラスタ番号４，５・・・のクラスタに格納されることを示している。データ領域には、各クラスタ領域に画像や音声の実データが格納されている。この例では、クラスタ番号３から１５までのクラスタには、マルチメディアファイル２１０Ａのヘッダデータが記録され、クラスタ番号１６から３０までのクラスタにはマルチメディアファイル２１０Ａの音声データが記録されている。なお、音声データの開始位置は、ヘッダデータ内に記録されている。
【００８３】
同様に、マルチメディアファイル２１０Ｂを構成するデータは、クラスタ番号６０から開始し、順にクラスタ番号６１、６２・・・のクラスタに格納されていることを示す情報がＦＡＴ領域に記録されている。そして、クラスタ番号６０から７５までのクラスタには、マルチメディアファイル２１０Ｂのヘッダデータが記録され、クラスタ番号７６から９０までのクラスタには、マルチメディアファイル２１０Ｂの音声データが記録されている。同様に、音声データの開始位置は、ヘッダデータに記録されている。
【００８４】
そして、図のＦＡＴ領域を参照すると、マルチメディアファイル２１０Ａの音声データが記録されている最終のクラスタ３０には、次のクラスタ番号として１００が指定され、マルチメディアファイル２１０Ｂの音声データが記録されている最終のクラスタ９０においても、次のクラスタ番号として１００が指定されている。そして、クラスタ番号１００からクラスタ番号１２４までのクラスタには、共通の動画データ（図１０で示したＹ１形式）が格納されている。つまり、マルチメディアファイル２１０Ａ、２１０Ｂは、ファイルの前半部分は、それぞれ異なるクラスタ番号から開始されるデータであって、異なるデータ形式の音声データが対応しており、ファイルの途中からは、同じクラスタ番号に記録された動画データを共用しているのである。
【００８５】
制御部２３は、図１２に示すように、メモリカード５０の「root」フォルダの下に「Movie」フォルダを作成し、この「Movie」フォルダの中に、上述したマルチメディアファイル２１０Ａおよび２１０Ｂを格納する。これらは、ファイルの開始クラスタ位置は異なるため、異なる２つのファイルとして認識されるが、上述したように、ファイルの一部は共通化されている。さらに、制御部２３は、キャリアＡおよびキャリアＢによって規定されている図９で示したものと同様のフォルダ構造を作成する。そして、「Mov＿data」フォルダの中に、マルチメディアファイル２１０Ａに対するリンク情報をもつエイリアスファイル２２０Ａを格納し、「Mov」フォルダの下に、マルチメディアファイル２１０Ｂに対するリンク情報をもつエイリアスファイル２２０Ｂを格納するのである。
【００８６】
制御部２３により、以上の書込み処理が行われることにより、たとえば、このメモリカード５０がキャリアＡの携帯電話機に装着された場合に、利用者は通常の操作を行うことでマルチメディアファイル２１０Ａにアクセスすることが可能である。具体的には、利用者がキャリアＡの携帯電話機を用い、ファイルを参照する操作を行うと、デフォルトのフォルダが表示される。そして、そのフォルダには、エイリアスファイル２２０Ａが表示されるのである。そして、利用者は、通常のファイル操作と同様、これらエイリアスファイル２２０Ａを指定した操作を行うことにより、マルチメディアファイル２１０Ａへのアクセスが行われるのである。同様に、キャリアＢ、キャリアＣの携帯電話機を用いた場合にも、利用者は、通常のファイルアクセス操作を行うことにより、マルチメディアファイルにアクセスすることが可能である。
【００８７】
このように、本実施の形態によれば、制御部２３によって、各携帯電話キャリアに対応したフォルダ構造が書き込まれ、このフォルダ内に、オリジナルファイルへのエイリアスファイルが記録されるので、いずれのキャリアの携帯電話機を用いた場合にも、通常と変わらない操作で、各種ファイルにアクセス可能である。また、２つのファイルを構成するデータに共通部分が存在する場合には、ＦＡＴのチェーン情報を操作することにより、データを共用させることが可能である。これにより、ファイル容量も小さくすることが可能である。
【００８８】
また、この実施の形態では、マルチメディアファイルに含まれる動画データが共通のデータ形式である場合に、動画データの格納クラスタ位置を共通化させるようにしたが、音声データが共通のデータ形式である場合には、音声データの格納クラスタ位置を共通化させるようにすればよい。ただし、その場合には、動画データの後に音声データが続くファイル形式を用いる必要がある。つまり、キャリアＡとキャリアＢのマルチメディアファイルフォーマットについて、音声データのみ異なるのであれば、音声データをマルチメディアファイルの前半に配置し、ヘッダデータの管理テーブルに音声データの開始位置を書き込めばよい。逆に、動画データのみ異なるのであれば、動画データをマルチメディアファイルの前半に配置し、同様にヘッダデータに動画データの開始位置を書き込めばよい。このような方法をとることで、キャリア間で音声・動画いずれかのフォーマットが異なる場合にも対応することが可能である。
【００８９】
｛処理の流れ｝
次に、以上説明した各実施の形態の動画撮像装置１０の処理の流れを説明する。図１３のフローチャートを実行する動画撮像装置１０は、上記複数の実施の形態の特徴を合わせて備えるものである。
【００９０】
まず、利用者がコイン投入部１７にお金を投入し、この情報が制御部２３に通知されることで動画撮像装置１０の処理が開始する。そして、まず、制御部２３が、モニタ１２にテンプレートを選択するためのメニュー画面を表示する。そして、利用者によって所望のテンプレートが選択されると、そのテンプレートの配置が行われる（ステップＳ１１）。テンプレートの配置とは画像テンプレートについては、フレーム上の所定の位置にテンプレート画像を表示する処理であり、音声テンプレートであれば、ＢＧＭ等の再生を開始する処理である。また、利用者は、操作部１１を操作して、各種のエフェクト処理などの指示を行う。
【００９１】
次に、制御部２３は、カメラ１３に対して撮像指示を送る。これにより、被写体の撮像処理が行われる（ステップＳ１２）。そして、モーション検知を行う場合には、撮像画像から動き検出が行われる。
【００９２】
次に、制御部２３において、画像および音声の合成処理が行われる（ステップＳ１３）。たとえば、被写体画像とテンプレート画像の合成や、利用者の音声とＢＧＭ音声との合成処理が行われる。また、モーション検知をしている場合には、それに合わせてアニメーション動作などが行われる。さらに、制御部２３において、画像および音声にエフェクト処理が施される（ステップＳ１４）。
【００９３】
以上の処理を行いつつ、合成画像や合成音声はモニタ１２およびスピーカ１５により出力される。利用者は、これを視聴しながら、チェックを行う。選択したテンプレートはイメージ通りか、ポーズはこれでよいか、ＢＧＭはよいか、などの確認を行う。そして、気に入らない場合には、操作部１１を操作して取り直し指示を行う。ＯＫの場合には、操作部１１を操作してＯＫの指示を行う（ステップＳ１５）。取り直し指示が行われた場合には、上記ステップＳ１１からステップＳ１４を繰り返し行う。
【００９４】
次に、判別部２６により携帯電話機のキャリア種別あるいは機種の特定が行われ（ステップＳ１６）、その特定情報に基づいて画像や音声の圧縮処理が行われる（ステップＳ１７）。また、特定情報に基づいたファイル形式でマルチメディアファイルが作成される。なお、第７あるいは第８の実施の形態においては、ステップＳ１６の処理は不要である。
【００９５】
そして、制御部２３は、メモリカード５０に対してマルチメディアファイルの記録処理を実行する（ステップＳ１８）。なお、第７あるいは第８の実施の形態においては、独自フォルダの作成、エイリアスファイルの記録などが必要であり、ステップＳ１８の処理の内容が異なる。
【００９６】
次に、印刷処理が行われる（ステップＳ１９）。上記実施の形態で説明したように、カード表面、あるいはシール媒体に画像が印刷される。そして、メモリカード５０の搬送が行われ（ステップＳ２０）、利用者にメモリカード５０が供給されるのである。以上でメモリカード５０の１枚の作成が終了すると、制御部２３は、追加のメモリカード５０が必要である否かを問い合わせるメッセージをモニタ１２に出力する。そして、利用者が追加を選択した場合には、ステップＳ１８からステップＳ２０を繰り返し、追加のメモリカード５０を作成するのである。追加が必要ないと選択されると、処理を終了する。
【図面の簡単な説明】
【００９７】
【図１】実施の形態にかかる動画撮像装置の概観図である。
【図２】第１及び第２の実施の形態に係る動画撮像装置のブロック図である。
【図３】制御部の機能ブロック図である。
【図４】第３の実施の形態に係る制御部の機能ブロック図である。
【図５】第４の実施の形態に係る動画撮像装置の機能ブロック図である。
【図６】第５の実施の形態に係る動画撮像装置の機能ブロック図である。
【図７】第６の実施の形態に係る動画撮像装置の機能ブロック図である。
【図８】メモリカードに設けられたガイド凹部を示す図である。
【図９】第７の実施の形態におけるメモリカードへの記録内容を示す図である。
【図１０】異なるファイル形式のマルチメディアファイルを示す図である。
【図１１】第８の実施の形態におけるＦＡＴの記録情報を示す図である。
【図１２】第８の実施の形態におけるメモリカードへの記録内容を示す図である。
【図１３】各実施の形態の処理フローチャートである。
【符号の説明】
【００９８】
１０    動画撮像装置
１１    操作部
１２    モニタ
１３    カメラ
１４    マイク
１５    スピーカ
１６    カード取出口
１７    コイン投入口
１８    搬送部
１９    メモリカード格納庫
２３    制御部
５０    メモリカード
【図１】
2007006313.tif 000003
【図２】
2007006313.tif 000004
【図３】
2007006313.tif 000005
【図４】
2007006313.tif 000006
【図５】
2007006313.tif 000007
【図６】
2007006313.tif 000008
【図７】
2007006313.tif 000009
【図８】
2007006313.tif 000010
【図９】
2007006313.tif 000011
【図１０】
2007006313.tif 000012
【図１１】
2007006313.tif 000013
【図１２】
2007006313.tif 000014
【図１３】
2007006313.tif 000015